【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
通信セッションにおいてサービス関連の内容をワイヤレス転送する方法であって、
サービス提供システムの近傍に固定され、クライアント側通信ユニットおよびシステム側通信ユニットを有する、変換回路を設けるステップと、
前記クライアント側通信ユニットを使用して、第1の通信プロトコルに従って符号化されたサービス関連の内容を有する第1のワイヤレスデータメッセージを傍受するステップと、
前記システム側通信ユニットにおいて前記サービス提供システムから呼掛け信号を受け取り、
前記システム側通信ユニットを使用して、第2の通信プロトコルに従って符号化された前記サービス関連の内容を有する第2のワイヤレスデータメッセージを生成するステップと、
前記システム側通信ユニットを使用して、前記第2のワイヤレスデータメッセージを前記サービス提供システムに送信するステップと
を含み、
前記生成するステップと前記送信するステップは、前記呼掛け信号に応答して行われる、方法。
【請求項２】
前記第1のワイヤレスデータメッセージが、ハンドヘルド型クライアント端末から生じる、請求項1に記載の方法。
【請求項３】
前記サービス提供システムが、前記サービス関連の内容に従って、電気式ゲートを動作させる、請求項1に記載の方法。
【請求項４】
前記システム側通信ユニットが、前記生成するステップおよび前記送信するステップを行う、近距離通信(NFC)タグおよび無線周波数識別(RFID)タグのうちの少なくとも1つを備える、請求項1に記載の方法。
【請求項５】
前記傍受するステップが、
前記第1のワイヤレスデータメッセージから、符号化された前記サービス関連の内容を復号化し、前記復号化されたサービス関連の内容を前記変換回路のメモリ中に記憶するステップを含み、
前記生成するステップが、
前記システム側通信ユニットを使用して、前記メモリにアクセスするステップと、
前記システム側通信ユニットを使用して、前記第2の通信プロトコルに従って前記復号化されたサービス関連の内容を符号化するステップと
を含む、請求項4に記載の方法。
【請求項６】
前記サービス関連の内容が、固有識別情報(ID)、口座番号、秘密コード、預金残高、および電子発券データから成るグループの一要素を含む、請求項1に記載の方法。
【請求項７】
前記第1の通信プロトコルが、Bluetooth(登録商標)プロトコルであり、前記第2の通信プロトコルが、近距離通信(NFC)プロトコルである、請求項1に記載の方法。
【請求項８】
前記第1の通信プロトコルが、Bluetooth(登録商標)プロトコルであり、前記第2の通信プロトコルが、無線周波数識別(RFID)プロトコルである、請求項1に記載の方法。
【請求項９】
前記第1の通信プロトコルが、ワイヤレスローカルエリアネットワーク(WLAN)プロトコルであり、前記第2の通信プロトコルが、無線周波数識別(RFID)プロトコルおよび近距離通信(NFC)プロトコルから成るグループから選択される、請求項1に記載の方法。
【請求項１０】
前記システム側通信ユニットが、近距離通信(NFC)タグおよび無線周波数識別(RFID)タグのうちの少なくとも1つであり、当該方法が、前記NFCタグおよび前記RFIDタグのうちの少なくとも1つを非アクティブにするステップをさらに含み、前記送信するステップが、前記サービス関連の内容を前記RFIDタグのメモリに取り入れ前記RFIDタグを初期化して、前記サービス提供システムのRFID読取器により前記RFIDタグのワイヤレスアクティベーションを可能にするステップを含み、前記送信するステップが、前記アクティベーションに応答して行われる、請求項9に記載の方法。
【請求項１１】
請求項1に記載の方法を行うように適合されるコンピュータ実行可能命令を含む、コンピュータ可読媒体。
【請求項１２】
通信セッションにおいてサービス関連の内容をワイヤレス転送する変換システムであって、
サービス提供システムの近傍における固定のための保持要素を有する筐体と、
第1の通信プロトコルに従って符号化されたサービス関連の内容を有する第1のワイヤレスデータメッセージを傍受するクライアント側通信ユニットと、
前記サービス提供システムから呼掛け信号を受信するシステム側通信ユニットと、
前記呼掛け信号と前記第1のワイヤレスデータメッセージを傍受することに応答して、第2の通信プロトコルに従って符号化された前記サービス関連の内容を有する第2のワイヤレスデータメッセージを自動的に生成し、前記システム側通信ユニットに、前記第1のワイヤレスデータメッセージを受け取るとともに前記呼掛け信号に応答した直後に前記第2のワイヤレスデータメッセージを送信するように命令する変換集積回路(IC)と
を備える、変換システム。
【請求項１３】
前記変換IC、前記クライアント側通信ユニット、および前記システム側通信ユニットが、前記サービス提供システムとは無関係に電源供給される、請求項12に記載の変換システム。
【請求項１４】
前記変換IC、前記クライアント側通信ユニット、および前記システム側通信ユニットが、前記サービス提供システムに電気的に接続されない、請求項12に記載の変換システム。
【請求項１５】
前記変換IC、前記クライアント側通信ユニット、および前記システム側通信ユニットが、前記サービス提供システムに配線されない、請求項12に記載の変換システム。
【請求項１６】
前記筐体が、前記サービス提供システムの外部にある、請求項12に記載の変換システム。
【請求項１７】
前記クライアント側通信ユニットが、Bluetooth(登録商標)ハードウェアモジュールであり、前記第1の通信プロトコルが、Bluetooth(登録商標)プロトコルである、請求項12に記載の変換システム。
【請求項１８】
前記クライアント側通信ユニットが、ワイヤレスローカルエリアネットワーク(WLAN)ハードウェアモジュールであり、前記第1の通信プロトコルが、ワイヤレスローカルエリアネットワーク(WLAN)プロトコルである、請求項12に記載の変換システム。
【請求項１９】
前記筐体が、サービス提供システムのサービス提供システムクライアント側通信ユニットに面するように、送信器を搭載する、請求項12に記載の変換システム。
【請求項２０】
前記システム側通信ユニットが、近距離通信(NFC)タグおよび無線周波数識別(RFID)タグのうちの少なくとも1つであり、前記変換集積回路が、自動的に、前記NFCタグおよび前記RFIDタグのうちの少なくとも1つのメモリに前記サービス関連の内容を取り入れ前記RFIDタグを初期化して、前記サービス提供システムのNFC読取器およびRFID読取器のうちの少なくとも1つにより前記RFIDタグのワイヤレスアクティベーションを可能にする、請求項12に記載の変換システム。
【請求項２１】
前記筐体が、前記クライアント側通信ユニット、前記変換IC、および前記システム側通信ユニットを閉じ込める上部パネルおよび下部パネルを有し、前記サービス提供システムのカード読取り区域をカバーするようにサイズ決定および形状決定される、請求項12に記載の変換システム。
【請求項２２】
前記サービス関連の内容を前記第1のワイヤレスデータメッセージに追加する、ハンドヘルド型クライアント端末にインストールされるソフトウェアクライアントモジュールをさらに備え、前記サービス関連の内容が、外部管理システムにより調整される、請求項12に記載の変換システム。
【請求項２３】
前記サービス関連の内容が、入場カードを示す固有識別子(ID)である、請求項13に記載の変換システム。